(57)【要約】【課題】簡単に親綱を着脱することができ、この着脱により親綱のスパンを変更することができる。【解決手段】足場の所定箇所間に張設された親綱２５をその中間において支持する。支持具３を足場に着脱自在に取り付けるための取付部５と、この取付部５に取り付けられるとともに親綱２５を挿通させて親綱２５を支持する親綱係合部７とを備える。親綱係合部７は、親綱２５の張設方向に延びる螺旋状に形成され、この螺旋のピッチが親綱２５の直径以上に設定されている。【選択図】図２
2007138509.tif 000002
【特許請求の範囲】
【請求項１】
足場の所定箇所間に張設された親綱をその中間において支持する親綱中間支持具において、該支持具を上記足場に着脱自在に取り付けるための取付部と、この取付部に取り付けられるとともに上記親綱を挿通させて該親綱を支持する親綱係合部とを備え、
上記親綱係合部は、上記親綱の張設方向に延びる螺旋状に形成され、この螺旋のピッチが上記親綱を挿通可能に設定されていることを特徴とする親綱中間支持具。
【請求項２】
上記親綱係合部は、その螺旋のピッチが上記親綱の直径以上に設定されていることを特徴とする請求項１記載の親綱中間支持具。
【請求項３】
上記親綱係合部は、その螺旋軸方向から見て、上下方向に長い略楕円ないしは略長円形状に形成されていることを特徴とする請求項１または請求項２記載の親綱中間支持具。
【請求項４】
上記親綱係合部は、螺旋軸に直交する軸周りに回転可能に上記取付部に取り付けられていることを特徴とする請求項１ないし請求項３のいずれか１項に記載の親綱中間支持具。
【発明の詳細な説明】
【技術分野】
【０００１】
本発明は、枠組足場や一側足場等の足場における所定箇所間、例えば親綱支柱間に張設された親綱をその中間において支持する親綱中間支持具に関するものである。
【背景技術】
【０００２】
木造家屋等の建築現場においては、通常、作業性を向上させるために建方作業などの実作業前に足場が設置され、この足場において墜落事故防止のため、安全帯等の一端が取り付けられる水平親綱が張設されている。この水平親綱は、その両端部が足場に設けられた親綱支柱や鉄骨梁などに固定されることが多い。そして、この水平親綱は、そのスパン、すなわち、この親綱支柱など親綱の支持部の間隔が長くなると、この親綱に安全帯の一端を係合させた作業者が落下した場合に親綱が伸長して作業者が床面等に衝突することがあることから、親綱を中間において支持させるための中間支持具が配設されることがある。
【０００３】
このような親綱を中間で支持する親綱中間支持具としては、従来、特許文献１に示すように、足場の支柱に着脱可能なクランプ部が設けられるとともに、このクランプ部に延長パイプを介して環状部が設けられ、この環状部に親綱を挿通させ、親綱のスパンを細分化させるものが知られている。
【特許文献１】特開２００３−１７６６３２号公報
【発明の開示】
【発明が解決しようとする課題】
【０００４】
ところで、このような親綱中間支持具を跨いで作業する場合には、隣のスパンに移る際に安全帯を隣のスパンの親綱に掛け直さなければならないことから、できる限りこの掛け直しを行わず作業性を向上させるためには、安全性を考慮しつつ、親綱のスパンは長く設定するのが好ましい。また、落下時の友引現象を防止する観点から、１スパン内の親綱に安全帯を掛ける作業者は１名とするのが原則である。
【０００５】
したがって、単一の親綱について１名の作業者が使用する場合には、親綱のスパンは可及的に長く設定されるのが好ましく、複数名の作業者が使用する場合など状況に応じて親綱のスパンを変更できるようにするのが安全性および作業性を確保する上で好ましい。
【０００６】
ところが、上記特許文献１に記載の親綱中間支持具では、環状部に親綱を挿通させることによりその中間を支持させるものであったので、この親綱のスパンを変更する場合には、親綱の一端部の固定状態を解除してから該親綱を中間支持具の環状部から抜出し、さらにこの一端部を再度、足場の所定箇所に固定し直さなければならず、このスパンの変更作業が煩わしいものであった。したがって、実際上、このようなスパンの変更作業が行われず、短スパンのまま作業するなど、作業性を十分に向上させることができるものではなかった。
【０００７】
本発明は、上記の課題に鑑みてなされたものであり、簡単に親綱を着脱することができ、この着脱により親綱のスパンを変更することができる親綱中間支持具を提供することを目的とする。
【課題を解決するための手段】
【０００８】
上記課題を解決するために、本発明に係る親綱中間支持具は、足場の所定箇所間に張設された親綱をその中間において支持する親綱中間支持具において、該支持具を上記足場に着脱自在に取り付けるための取付部と、この取付部に取り付けられるとともに上記親綱を挿通させて該親綱を支持する親綱係合部とを備え、上記親綱係合部は、上記親綱の張設方向に延びる螺旋状に形成され、この螺旋のピッチが上記親綱を挿通可能に設定されていることを特徴とするものである。
【０００９】
この発明によれば、上記親綱係合部は、上記親綱の張設方向に延びる螺旋状に形成され、この螺旋のピッチが上記親綱を挿通可能に設定されているので、この親綱係合部の螺旋のピッチを通して親綱係合部の螺旋内に親綱を挿通させることができる。このため、この親綱中間支持具に親綱を挿通させるにあたって、張設されている親綱の一端部をわざわざ外す必要がなく、この親綱中間支持具に親綱を簡単に支持させることができる。しかも、この親綱係合部は、親綱の張設方向に延びる螺旋状に形成されているので、親綱を支持させた後は人為的に取り外さなければその支持状態を解除することは困難で、確実に親綱の支持状態を維持することができる。また、この親綱係合部は該支持具を上記足場に着脱自在に取り付けるための取付部に取り付けられるので、この親綱中間支持具を上記足場の任意の場所に取り付けることができ、状況に応じてその取付位置を変更することができる。
【００１０】
この親綱係合部の螺旋のピッチは、親綱が挿通可能であれば特に限定されるものではなく、例えば親綱の直径よりも若干小さく設定され、親綱を弾性変形させることにより親綱をピッチ間に挿通させるものであってもよいが、上記親綱係合部は、その螺旋のピッチが上記親綱の直径以上に設定されているのが好ましい（請求項２）。
【００１１】
このように構成すれば、親綱係合部のピッチ間に親綱を挿通させ易くなり、使い勝手を向上させることができる。
【００１２】
この親綱係合部は、その螺旋の形状が特に限定されるものではなく、例えば螺旋軸方向からみて略方形状、略円形状等に形成されているものであってもよいが、上記親綱係合部は、その螺旋軸方向から見て、上下方向に長い略楕円ないしは略長円形状に形成されているのが好ましい（請求項３）。
【００１３】
このように構成すれば、親綱に安全帯の一端を掛合させた作業者の落下に伴い該親綱が上下に振動した場合でも、この振動をある程度許容しつつ親綱を確実に支持させることができる。
【００１４】
また、上記親綱係合部は、上記取付部に固定されているものであってもよいが、螺旋軸に直交する軸周りに回転可能に上記取付部に取り付けられているのが好ましい（請求項４）。
【００１５】
このように構成すれば、親綱に安全帯の一端を掛合させた作業者の落下に伴い該親綱が上下に振動した場合でも、この振動に伴って親綱係合部も回転して、親綱の軸線方向と上記親綱係合部の螺旋軸とを略一致させることができ、親綱係合部における親綱の不測の抜脱を防止して、より確実かつ安定的に親綱を支持させることができる。
【発明の効果】
【００１６】
本発明の親綱中間支持具によれば、上記親綱係合部の螺旋のピッチを通して親綱係合部の螺旋内に親綱を挿通させることができ、この親綱中間支持具に親綱を挿通させるにあたって、張設されている親綱の一端部をわざわざ外す必要がなく、この親綱中間支持具に親綱を簡単に支持させることができるという利点がある。したがって、簡単な作業で、状況に応じて親綱を中間において支持させたり、この支持状態を解除したりすることができる。しかも、親綱を支持させた後は人為的に取り外さなければその支持状態を解除することができず、確実に親綱の支持状態を維持することができるとともに、この親綱中間支持具を上記足場の任意の場所に取り付けることができ、また状況に応じてその取付位置を変更することができる。
【発明を実施するための最良の形態】
【００１７】
以下、図面に基づいて本発明の実施形態を説明する。図１は、当実施形態の親綱中間支持具の使用状況を示す概念図である。なお、当実施形態の親綱中間支持具３は、枠組足場に適用した場合について説明しているが、この中間支持具３は、一側足場等のその他の足場についても適用することができる。
【００１８】
この足場２０は、建枠２１、床付き布枠２２、交さ筋交い２３等により複数階層にわたって形成されている。足場２０の最上層には、その両端部に親綱支柱２４が立設され、この親綱支柱２４間に水平親綱２５が張設されている。親綱支柱２４は、不図示の取付金具によって建枠２１に固定され、その先端には親綱２５による引張力が作用する方向と反対方向に引張する控綱２６の一端部が取り付けられている。控綱２６は、その他端部が親綱支柱２４の取付位置から１スパン（建枠２１のスパン）離れた位置に配設された建枠２１の先端部に固定されることにより筋交状に張設されている。この控綱２６は、水平親綱２５と一連に形成されているものであってもよいし、別個独立に形成されているものであってもよい。
【００１９】
水平親綱２５は、ワイヤロープ、ナイロンロープ、或いはビニロンロープ等によって構成され、緊張器２７によりその張力が調整されている。この親綱２５は、建枠２１のサイズによっても異なるが、通常、建枠２１のスパンで３〜６スパンで支持されている。図１では、親綱支柱２４は３スパン離間して配設され、この親綱支柱２４の先端部に親綱２５の両端部が取り付けられることにより親綱２５が張設されている。
【００２０】
ところで、この親綱２５を使用する作業者は１スパンに一人が原則である。したがって、同階層に二人の作業者が作業する場合には、各スパンを細分化することが臨まれる。当実施形態では、親綱２５のスパンを細分化するために、親綱支柱２４間の建枠２１に親綱中間支持具３が取り付けられ、この中間支持具３によって親綱２５の中間が支持されるように構成されている。
【００２１】
この親綱中間支持具３について、図２ないし図６を用いて具体的に説明する。図２は同支持具を足場に取り付けた状態で示す斜視図であり、図３は同支持具を足場から取り外した状態で示す斜視図である。また、図４ないし図６は、この中間支持具の平面図、正面図、側面図である。
【００２２】
これらの図に示すように、この親綱中間支持具３は、該支持具３を足場２０の建枠２１に着脱自在に取り付けるための取付部４と、この取付部４に取り付けられるとともに親綱２５を挿通させて該親綱２５の中間を支持する親綱係合部７とを備え、取付部４を介して建枠２１の所定高さ位置に取り付けられている。
【００２３】
取付部４は、建枠２１の軸方向と平行に延びる回転軸部４３によってヒンジ結合された一対の半割体４１，４２を主要構成部材としている。この一対の半割体４１，４２は、合致させることにより内周が建枠２１の略外周形状に沿うように形成されている。
【００２４】
この半割体４１，４２のうち、親綱係合部７が取り付けられる第１半割体４１は、回転軸部４３が設けられた端部と反対側の端部が縮幅（図において上下方向に縮幅）して形成され、この縮幅部４４に回転軸部４３と略平行のボルト回転軸部４５が設けられている。このボルト回転軸部４５は締付け用ボルト４６の長手方向一端部を第１半割体４１に軸支するものであり、このボルト４６は先端部にナット４７が螺合可能に構成されている。
【００２５】
一方、半割体４１，４２のうち、他方の半割体である第２半割体４２は、回転軸部４３が設けられた端部と反対側の端部が縮幅（図において上下方向に縮幅）して形成され、この縮幅部４８の先端部であってボルト４６に対応する高さ位置に該ボルト４６が挿通可能な切欠き部４９が設けられている。
【００２６】
そして、取付部４は、建枠２１への取付にあたって、各半割体４１，４２の間に建枠２１が挟み込まれるとともに、ボルト４６がボルト回転軸部４５を中心に回転させられてその先端部が切欠き部４９に挿通させられ、この状態でボルト４６の先端部にナット４７が螺合させられ、該ナット４７が切欠き部４９の周縁部に締付け圧着させられることにより、各半割体４１，４２が建枠２１に挟着されるように構成されている。なお、各半割体４１，４２は、その強度を向上させるために断面視コ字状に形成されたり、或いはビードが形成されたりしている。
【００２７】
一方、親綱係合部７は、第１半割体４１の外側面に溶接等により固定されている。この親綱係合部７は、親綱２５の張設方向に延びる螺旋状に形成され、この螺旋のピッチＰ（図６参照）が上記親綱２５の直径以上に設定されている。
【００２８】
具体的には、親綱係合部７は、所定の太さを有する鋼鉄製の棒状体を、親綱２５の張設方向と平行に延びる軸（螺旋軸）を中心に螺旋状に巻回されることにより形成され、その螺旋のピッチＰが親綱２５の直径と略同等ないしは若干大きい程度に寸法設定されている。このピッチＰは親綱２５の直径以上に設定されていればよいが、親綱２５の不測の抜出をより確実に防止するためには、当実施形態のように親綱２５の直径と略同等ないしは若干大きい程度（親綱２５の直径の１．５倍程度）に寸法設定されるのが好ましい。また、当実施形態では、この螺旋の巻回し回数は約１周半程度に設定され、図５および図６に明示するように、各端部が各々逆方向に指向するように構成されている。
【００２９】
この親綱係合部７の形状について、図４ないし図６を用いてさらに具体的に説明する。図５に示すように、親綱係合部７は、略直線形状に形成された直線部７１，７２，７３と、この直線部７１，７２に連設される湾曲部７４，７５とにより構成され、その螺旋軸方向から見て上下方向に細長い略長円形状に形成されている。すなわち、図５に示すように、親綱係合部７は、取付部４の軸線方向と平行に延び上端が略上方に指向する第１直線部７１と、この第１直線部７１の下端に連設されるとともにＵ字状に湾曲する第１湾曲部７４と、この第１湾曲部７４の他端部に連設されるとともに上記第１直線部７１と略平行に延びる第２直線部７２と、この第２直線部７２の上端部に連設されるとともに逆Ｕ字状に湾曲する第２湾曲部７５と、この第２湾曲部７５の他端部に連設されるとともに上記第１直線部７１と平行に延びる第３直線部７３とを備え、第２直線部７２において取付部４の外側面に溶接されている。
【００３０】
なお、当実施形態では、第１および第３直線部７１，７３が遊端部に向かって取付部４側に若干傾倒して形成され、親綱２５の不測の抜脱をより確実に防止するものとなされている。また、第１および第３直線部７１，７３の遊端部において、取付部４側に若干湾曲させてさらに親綱２５の不測の抜脱を防止するものとしてもよい。
【００３１】
次に、この親綱中間支持具３の使用方法について説明する。まず、足場２０に親綱支柱２４を立設し、この親綱支柱２４間に親綱２５を張設する。また、親綱中間支持具３を、図７（ａ）および（ｂ）に示すように、親綱支柱２４間に配設されている建枠２１であって、親綱２５の張設高さ位置に取り付ける。この中間支持具３の建枠２１に対する取り付け方法は、上述したので、ここではその説明を省略する。
【００３２】
そして、作業者Ｗが足場２０上で作業する場合には、図７（ａ）に示すように、安全帯２８の一端に命綱２９を介して取り付けられたフック３０を親綱２５に掛合させる。この場合、親綱支柱２４間に張設された親綱２５はその中間で中間支持具３によって支持されていない状態となっている。なお、この場合、中間支持具３は、親綱２５と干渉しないようにその位置設定がなされている。
【００３３】
このような状態では、作業者Ｗは、親綱支柱２４間を自由に往来することができ、フック３０の掛け替えの手間もなく効率的に作業することができる。
【００３４】
一方、単一の親綱２５に、二名の作業者Ｗのフック３０が係合される場合には、親綱２５の１スパンに一名の作業者Ｗが原則なので、この場合には、図７（ｂ）に示すように、親綱中間支持具３に親綱２５の中間を支持させ、この中間支持具３により細分化された各スパンに作業者Ｗを配置する。
【００３５】
この親綱中間支持具３による親綱２５の支持方法は、親綱２５を引張して若干のたるみを持たせ、このたるみ部分を親綱係合部７のピッチＰに挿入し、親綱２５を、上下各方向に指向した親綱係合部７の各端部を乗り越えさせてこの親綱係合部７の内側に親綱２５を挿通させることにより行う。
【００３６】
或いは、親綱中間支持具３を建枠２１から取り外して、まず親綱２５を中間支持具３の親綱係合部７に挿通させてから取付部４によって建枠２１の所定高さ位置に取り付けることにより、この中間支持具３に親綱２５を支持させる。
【００３７】
このように、親綱中間支持具３によって単一の親綱２５を複数のスパンに分けることができることから、例えば図７（ｂ）の二点鎖線で示すように作業者Ｗの一人が墜落した場合でも友引現象を有効に防止することができる。しかも、この親綱２５にフック３０を掛合させる作業者Ｗが一人になったときは、中間支持具３の親綱係合部７から親綱２５を簡単に抜出することができ、これにより作業者Ｗは広範囲にわたって移動することができ、その作業性を向上させることができる。
【００３８】
すなわち、上記親綱中間支持具３によれば、その親綱係合部７が親綱２５の張設方向に延びる螺旋状に形成され、この螺旋のピッチが親綱２５の直径以上に設定されているので、この親綱係合部７の螺旋のピッチを通してこの螺旋内に親綱２５を人為的に簡単に挿通させることができ、また、スパンを長くしたい場合にはこの親綱係合部７と親綱２５との掛合状態を人為的に簡単に取り外すことができる。このため、この親綱中間支持具３に親綱２５を挿通させるにあって、張設されている親綱２５の端部を親綱支柱２４からわざわざ外す必要がなく、この親綱中間支持具３に親綱２５を簡単に脱着させることができる。
【００３９】
しかも、この親綱係合部７は、親綱２５の張設方向に延びる螺旋状に形成されているので、親綱を支持させた後は人為的に取り外さなければその支持状態を解除することは困難で、親綱２５の支持状態を維持することができる。また、この親綱係合部７は該支持具３を足場２０に着脱自在に取り付けるための取付部４に取り付けられるので、この親綱中間支持具３の取付位置を足場２０の所定箇所、例えば図７（ｂ）における隣の建枠２１に移動させることができ、状況に応じて変更することができる。
【００４０】
なお、以上に説明した親綱中間支持具３は、本発明に係る親綱中間支持具３の一実施形態であって、この支持具３の具体的構成等は、本発明の趣旨を逸脱しない範囲で適宜変更可能であり、変形例を以下に説明する。
【００４１】
（１）上記実施形態では、親綱係合部７が取付部４の外側面に溶接により固定されているが、この固定方法は特に限定されるものではなく、他の手段によって固定されるものであってもよい。
【００４２】
また、この固定手段に代えて、親綱係合部がその螺旋軸に直交する軸周りに回転可能に取付部に取り付けられるように構成されるものであってもよい。すなわち、親綱係合部には、螺旋軸に直交する軸が突設され、この軸が取付部に回転可能に取り付けられるものであってもよい。この場合、上記軸が取付部から不測に抜脱しないように、上記軸に抜脱防止手段が設けられる。
【００４３】
（２）上記実施形態では、親綱係合部７はその螺旋の巻回し回数が約１周半程度に設定され、各端部が各々逆方向に指向するように形成されているが、この螺旋の巻回し回数を含めた親綱係合部の具体的構成は特に限定されるものではなく、例えば螺旋の巻回し回数が２回以上に設定されるものであってもよいが、親綱２５を安定かつ確実に支持させつつ、親綱２５の脱着を容易に行うためには当実施形態のように構成されるのが好ましい。
【００４４】
（３）上記実施形態では、親綱中間支持具３の親綱係合部７は、その螺旋軸方向から見て、上下に細長い略長円形状に形成されているが、この螺旋軸方向からの形状は特に限定されるものではなく、例えば楕円形、真円形、矩形等の形状に形成されるものであってもよい。ただし、螺旋軸方向から見た場合の形状が上下方向に細長い略楕円ないしは長円形状である場合には、親綱の上下の振動をある程度許容しつつ、親綱の不測の抜脱を防止することができる。
【００４５】
（４）上記実施形態では、足場２０における最上層階部分に親綱２５が張設されたものについて説明しているが、この親綱２５が張設される階層は最上層階に限定されるものではなく、例えば最上層階を除く中間階層に親綱２５を張設してもよく、この場合にも最上層階と同様にその親綱２５の中間を親綱中間支持具３によって支持させるものとしてもよい。
【図面の簡単な説明】
【００４６】
【図１】本発明の一実施形態に係る親綱中間支持具の使用状況を示す概念図である。
【図２】同中間支持具を建枠に取り付けた状態で示す斜視図である。
【図３】同中間支持具を建枠から取り外した状態で示す斜視図である。
【図４】同中間支持具の平面図である。
【図５】同中間支持具の正面図である。
【図６】同中間支持具の側面図である。
【図７】同中間支持具の使用状態を示す説明図である。
【符号の説明】
【００４７】
Ｐ  ピッチ
３  親綱中間支持具
４  取付部
７  親綱係合部
２１  建枠
２４  親綱支柱
２５  親綱
４１  第１半割体
４２  第２半割体
【図１】
2007138509.tif 000003
【図２】
2007138509.tif 000004
【図３】
2007138509.tif 000005
【図４】
2007138509.tif 000006
【図５】
2007138509.tif 000007
【図６】
2007138509.tif 000008
【図７】
2007138509.tif 000009